(57)【要約】      （修正有）【課題】特に電子装置に設置することにより、体積を増加させずに電子装置の利用可能な面積を増加させることができるヒンジを提供する。【解決手段】夫々の内弧面と夫々の外弧面とが同一方向を向くように所定の間隔をおいて形成される第１弧状穴１１と第２弧状穴１２とを有するベース板１０と、前記ベース板の前面における、第１弧状穴の内弧面側に回動可能に取り付けられる第１端と、移動時の軌跡が該第１弧状穴と対応する第２端とを有する少なくとも１つの第１連結部材２１と、前記ベース板の前面における、第２弧状穴の内弧面側に回動可能に取り付けられる第１端と、移動時の軌跡が該第２弧状穴と対応する第２端とを有する少なくとも１つの第２連結部材２２と、夫々の一端が前記ベース板の前面における、第１弧状穴と第２弧状穴の外弧面側に枢設されると共に、夫々の他端が前記１つの第１連結部材及び１つの第２連結部材の第２端に枢設される２つの弾性部材４０とを備えることを特徴とする。【選択図】図２
0003157080.tif 000002
【実用新案登録請求の範囲】
【請求項１】
夫々の内弧面と夫々の外弧面とが同一方向を向くように所定の間隔をおいて形成される第１弧状穴（１１）と第２弧状穴（１２）とを有するベース板（１０）と、
前記ベース板（１０）の前面における、第１弧状穴（１１）の内弧面側に回動可能に取り付けられる第１端と、移動時の軌跡が該第１弧状穴（１１）と対応する第２端とを有する少なくとも１つの第１連結部材（２１）と、
前記ベース板（１０）の前面における、第２弧状穴（１２）の内弧面側に回動可能に取り付けられる第１端と、移動時の軌跡が該第２弧状穴（１２）と対応する第２端とを有する少なくとも１つの第２連結（２２）と、
夫々の一端が前記ベース板（１０）の前面における、第１弧状穴（１１）と第２弧状穴（１２）の外弧面側に枢設されると共に、夫々の他端が前記１つの第１連結部材（２１）及び１つの第２連結部材（２２）の第２端に枢設される２つの弾性部材（４０）と、を備えることを特徴とするヒンジ。
【請求項２】
更に前記ベース板（１０）の後面に位置すると共に、前記少なくとも１つの第１連結部材（２１）及び少なくとも１つの第２連結部材（２２）の第２端に枢設される連結板（３０）を有することを特徴とする請求項１に記載のヒンジ。
【請求項３】
前記少なくとも１つの第１連結部材（２１）の第２端は、第１弧状穴（１１）に位置する固定部材により前記連結板（３０）に枢設されると共に、前記少なくとも１つの第２連結部材（２２）の第２端は、第２弧状穴（１２）に位置する固定部材により前記連結板（３０）に枢設されることを特徴とする請求項２に記載のヒンジ。
【請求項４】
前記弾性部材（４０）がトーションばねであることを特徴とする請求項１乃至３のいずれか一項に記載のヒンジ。
【請求項５】
本体（６１）と、カバー（６２）を有するカバースライド装置であって、請求項１に記載のヒンジを有し、該ヒンジにおけるベース板（１０）が該カバー（６２）に固定されると共に、ヒンジにおける第１連結部材（２１）及び第２連結部材（２２）の第２端が該本体（６１）に固定されることを特徴とするカバースライド装置。
【請求項６】
本体（６１）と、カバー（６２）とを有するカバースライド装置であって、請求項２乃至４の何れか一項に記載のヒンジを有し、該ヒンジにおけるベース板（１０）が該カバー（６２）に固定されると共に、ヒンジにおける連結板（３０）が該本体（６１）に固定されることを特徴とするカバースライド装置。
【請求項７】
前記カバー（６２）に溝部（６２１）が形成されると共に、前記本体（６１）に２つの結合孔（６１１）が形成され、該溝部（６２１）にベース板（１０）が嵌装され、前記連結板（３０）に、該２つの結合孔（６１１）に結合される２つの固定部材が挿設されることを特徴とする請求項６に記載のカバースライド装置。
【考案の詳細な説明】
【技術分野】
【０００１】
本考案は、特にカバーと本体との間に設置することにより、本体に対してカバーの摺動を行うヒンジ及び該ヒンジを備えたカバースライド装置に関するものである。
【背景技術】
【０００２】
携帯電話、デジタルカメラなどの携帯型電子装置は通常、操作用のキーボード、画像を表示するモニタ又は撮影用のレンズを備えるものであり、このような携帯型電子装置はその殆どが、携行や収納をし易くするために小型化されている。
【考案の開示】
【考案が解決しようとする課題】
【０００３】
しかしながら、電子装置の小型化につれ、電子装置の表面における、キーボード、モニタまたはレンズを設置する面積も小さくなってきているので、電子装置の小型化を確保しながら、如何にして電子装置の表面における利用可能な面積を増加させるかが当業界の課題となっている。
【０００４】
そこで、案出されたのが本考案であって、電子装置に設置することにより、体積を増加させずに電子装置の利用可能な面積を増加させることができると共に、電子装置の表面に取り付けられた部品を覆い隠す機能も有するヒンジ及び該ヒンジを備えたカバースライド装置を提供することを目的としている。
【課題を解決するための手段】
【０００５】
本願の請求項１の考案は、夫々の内弧面と夫々の外弧面とが同一方向を向くように所定の間隔をおいて形成される第１弧状穴（１１）と第２弧状穴（１２）とを有するベース板（１０）と、
前記ベース板（１０）の前面における、第１弧状穴（１１）の内弧面側に回動可能に取り付けられる第１端と、移動時の軌跡が該第１弧状穴（１１）と対応する第２端とを有する少なくとも１つの第１連結部材（２１）と、
前記ベース板（１０）の前面における、第２弧状穴（１２）の内弧面側に回動可能に取り付けられる第１端と、移動時の軌跡が該第２弧状穴（１２）と対応する第２端とを有する少なくとも１つの第２連結（２２）と、
夫々の一端が前記ベース板（１０）の前面における、第１弧状穴（１１）と第２弧状穴（１２）の外弧面側に枢設されると共に、夫々の他端が前記１つの第１連結部材（２１）及び１つの第２連結部材（２２）の第２端に枢設される２つの弾性部材（４０）と、を提供する。
【０００６】
本願の請求項２の考案は、更に前記ベース板（１０）の後面に位置すると共に、前記少なくとも１つの第１連結部材（２１）及び少なくとも１つの第２連結部材（２２）の第２端に枢設される連結板（３０）を有することを特徴とする請求項１に記載のヒンジ、を提供する。
【０００７】
本願の請求項３の考案は、前記少なくとも１つの第１連結部材（２１）の第２端は、第１弧状穴（１１）に位置する固定部材により前記連結板（３０）に枢設されると共に、前記少なくとも１つの第２連結部材（２２）の第２端は、第２弧状穴（１２）に位置する固定部材により前記連結板（３０）に枢設されることを特徴とする請求項２に記載のヒンジ、を提供する。
【０００８】
本願の請求項４の考案は、前記弾性部材（４０）がトーションばねであることを特徴とする請求項１乃至３のいずれか一項に記載のヒンジ、を提供する。
【０００９】
本願の請求項５の考案は、本体（６１）と、カバー（６２）を有するカバースライド装置であって、請求項１に記載のヒンジを有し、該ヒンジにおけるベース板（１０）が該カバー（６２）に固定されると共に、ヒンジにおける第１連結部材（２１）及び第２連結部材（２２）の第２端が該本体（６１）に固定されることを特徴とするカバースライド装置、を提供する。
【００１０】
本願の請求項６の考案は、本体（６１）と、カバー（６２）とを有するカバースライド装置であって、請求項２乃至４の何れか一項に記載のヒンジを有し、該ヒンジにおけるベース板（１０）が該カバー（６２）に固定されると共に、ヒンジにおける連結板（３０）が該本体（６１）に固定されることを特徴とするカバースライド装置、を提供する。
【００１１】
本願の請求項７の考案は、前記カバー（６２）に溝部（６２１）が形成されると共に、前記本体（６１）に２つの結合孔（６１１）が形成され、該溝部（６２１）にベース板（１０）が嵌装され、前記連結板（３０）に、該２つの結合孔（６１１）に結合される２つの固定部材が挿設されることを特徴とする請求項６に記載のカバースライド装置、を提供する。
【考案の効果】
【００１２】
本考案のヒンジを備えたカバースライド装置は、上記の課題を解決するものであり、カバーや本体にキーボード、モニタまたはレンズ等の部材を設置し、且つカバーの摺動操作により、該本体に設置された部材を露出させたり、覆い隠したりすることができるので、体積を増加せずに電子装置の利用可能な面積を増加させることができる。
【図面の簡単な説明】
【００１３】
【図１】本考案に係るヒンジを備えたカバースライド装置の斜視図である。
【図２】図１に示すカバースライド装置の分解斜視図である。
【図３】本考案に係るヒンジの第１実施例を示す分解斜視図である。
【図４】図１に示すカバースライド装置においての、本体に対するカバーの摺動状態を示す正面図である。
【図５】図１に示すカバースライド装置においての、本体に対するカバーの摺動状態を示す正面図である。
【図６】図１に示すカバースライド装置においての、本体に対するカバーの摺動状態を示す正面図である。
【図７】本考案に係るヒンジの第２実施例を示す斜視図である。
【考案を実施するための最良の形態】
【００１４】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１５】
図１は本考案に係るヒンジを備えたカバースライド装置の斜視図であり、図２は図１に示すカバースライド装置の分解斜視図であり、図３は本考案に係るヒンジの第１実施例を示す分解斜視図であり、図４乃至図６は図１に示すカバースライド装置においての、本体に対するカバーの摺動状態を示す正面図であり、図７は本考案に係るヒンジの第２実施例を示す斜視図である。
【００１６】
図１乃至図３に示すように、本考案に係るヒンジは、カバースライド装置（６０）における本体（６１）とカバー（６２）との間に設置され、ものであり、第１実施例においては、ベース板（１０）と、少なくとも１つの第１連結部材（２１）と、少なくとも１つの第２連結部材（２２）と、連結板（３０）と、２つの弾性部材（４０）とを備える。
【００１７】
そのうち、前記ベース板（１０）に所定間隔をおいて第１弧状穴（１１）及び第２弧状穴（１２）が形成され、該第１弧状穴（１１）及び第２弧状穴（１２）の内弧面（１１１）（１２１）は同一方向を向いており、第１弧状穴（１１）及び第２弧状穴（１２）の外弧面（１１２）（１２２）は同一方向を向いている。
【００１８】
前記少なくとも１つの第１連結部材（２１）は、第１端（２１１）及び第２端（２１２）を有し、該第１端（２１１）は、第２端（２１２）の移動時の軌跡が前記第１弧状穴（１１）と対応するように、固定部材（５１）により前記ベース板（１０）の前面における第１弧状穴（１１）の内弧面（１１１）側に回動可能に取り付けられる。尚、本実施例におけるヒンジは、１つの第１連結部材（２１）を有する。
【００１９】
前記少なくとも１つの第２連結部材（２２）は、第１端（２２１）及び第２端（２２２）を有し、該第１端（２２１）は、第２端（２２２）の移動時の軌跡が前記第２弧状穴（１２）と対応するように、固定部材（５１）により前記ベース板（１０）の前面における第２弧状穴（１２）の内弧面（１２１）側に回動可能に取り付けられる。尚、本実施例におけるヒンジは、隣接するように配置される２つの第２連結部材（２２）を有する。
【００２０】
前記連結板（３０）は、ベース板（１０）の後面に設置されると共に、３つの固定部材（５２）により第１連結部材（２１）及び２つの第２連結部材（２２）の第２端（２１２）（２２２）に枢設され、それらの固定部材（５２）は夫々、第１弧状穴（１１）と第２弧状穴（１２）に位置する。
【００２１】
前記２つの弾性部材（４０）の一端は夫々、前記ベース板（１０）の前面における、第１弧状穴（１１）及び第２弧状穴（１２）の外弧面（１１２）（１２２）側に枢設されると共に、他端は夫々、固定部材（５２）により前記１つの第１連結部材（２１）及び１つの第２連結部材（２２）の第２端（２１２）（２２２）に枢設される。尚、本実施例における弾性部材（４０）はトーションばねである。
【００２２】
図２に示すように、本考案に係るヒンジにおけるベース板（１０）は、カバースライド装置（６０）におけるカバー（６２）に固定されると共に、ヒンジにおける連結板（３０）は、カバースライド装置（６０）における本体（６１）に固定され、本実施例においては、該カバー（６２）に溝部（６２１）が形成されると共に、該本体（６１）に２つの結合孔（６１１）が形成され、この構成により、該ベース板（１０）を溝部（６２１）に嵌装し、且つ２つの固定部材（５３）を連結板（３０）に挿設して該２つの結合孔（６１１）に結合することにより、ヒンジをカバースライド装置（６０）に取り付ける。
【００２３】
図４乃至図６は、本考案に係るヒンジを備えたデジタルカメラにおいて、本体（６１）に対してカバー（６２）が摺動している状態を示すものであり、図４に示すように、該本体（６１）にレンズ（６１２）が設けられると共に、該カバー（６２）は、該レンズ（６１２）を覆うように本体（６１）の上方における閉鎖位置に位置し、ヒンジにおける第１連結部材（２１）及び第２連結部材（２２）の第２端は夫々、第１弧状穴（１１）と第２弧状穴（１２）の下端に位置する。
【００２４】
前記構成によれば、使用者がカバー（６２）を下方へ押込むと、ベース板（１０）が本体（６１）に固設された連結板（３０）に対して摺動する。この時、ヒンジにおける第１連結部材（２１）及び第２連結部材（２２）の第１端はベース板（１０）に枢設され、且つ第２端は連結板（３０）を介して本体（６１）に固定されているので、該ベース板（１０）が第１連結部材（２１）及び第２連結部材（２２）の第２端（２１２）（２２２）を軸として回動し、該第１連結部材（２１）及び第２連結部材（２２）の第１端（２１１）（２２１）と一緒に本体（６１）上を弧状に摺動する。
【００２５】
また、前記ベース板（１０）の摺動に伴ない、第１連結部材（２１）及び第２連結部材（２２）の第２端（２１２）（２２２）が夫々、前記第１弧状穴（１１）と第２弧状穴（１２）の下端から上端へ移動し、該各連結部材（２１）（２２）の第２端（２１２）（２２２）が弧状穴（１１）（１２）の中央部まで移動すると、ヒンジにおけるトーションばねが圧縮されて付勢力が発生し、更に該各連結部材（２１）（２２）の第２端（２１２）（２２２）が弧状穴（１１）（１２）の中央部を越えて上端へ移動すると、ベース板（１０）が、トーションばねの付勢力により本体（６１）の下方にあるスライド完了位置まで摺動し且つ位置決めされる。  これにより、本体（６１）におけるレンズ（６１２）を露出させて撮影を行うことができる。一方、カバー（６２）を上方へ押込むと、閉鎖位置までカバー（６２）が摺動してレンズ（６１２）を覆い隠すことができる。
【００２６】
図７に示すものは本考案の第２実施例であり、ヒンジに１つの第２連結部材（２２）が設けられる場合であっても、第１実施例のヒンジと同様の機能を有するが、前記第１実施例のように、ヒンジに２つの第２連結部材（２２）が隣接するように配置される構成の方が、連結板（３０）とベース板（１０）との連結強度が高められるので、ベース板（１０）が連結板（３０）に対してより安定的に摺動することができる。
【符号の説明】
【００２７】
１０…ベース板、
１１…第１弧状穴、
１１１…内弧面、
１１２…外弧面、
１２…第２弧状穴、
１２１…内弧面、
１２２…外弧面、
２１…第１連結部材、
２１１…第１端、
２１２…第２端、
２２…第２連結部材、
２２１…第１端、
２２２…第２端、
３０…連結板、
４０…弾性部材、
５１…固定部材、
５２…固定部材、
６０…カバースライド装置、
６１…本体、
６１１…結合孔、
６１２…レンズ、
６２…カバー、
６２１…溝部。
【図１】
0003157080.tif 000003
【図２】
0003157080.tif 000004
【図３】
0003157080.tif 000005
【図４】
0003157080.tif 000006
【図５】
0003157080.tif 000007
【図６】
0003157080.tif 000008
【図７】
0003157080.tif 000009